(57)【特許請求の範囲】
【請求項１】
入力を入力信号に変換するための入力ユニットと、
前記入力ユニットに接続され、前記入力信号を身分情報、或いは、商品情報として識別するための識別ユニットと、
身分データベースを保存するストレージユニットと
前記識別ユニットと前記ストレージユニットに接続され、前記身分データベースに基づいて前記身分情報を認証し、認証に通った場合解錠信号を出力し、通らなかった場合、取引信号を出力する認証ユニットと、
前記認証ユニットに接続され、前記取引信号を受信した後、前記商品情報に基づいて決済取引を行う決済ユニットと、
ドアロックに接続される解錠ユニットと、
前記認証ユニットと前記解錠ユニットに接続され、前記解錠信号によって前記解錠ユニットを制御して前記ドアロックを解除させる制御ユニットと、を含むことを特徴とする、
入退室制御機能を有する販売時点情報管理システム。
【請求項２】
前記入力ユニットは、キーボード、タッチスクリーン、指紋認識装置、バーコードリーダー、チップカードリーダー、磁気ストライブカードリーダー、或いは、無線通信を使った識別技術読取装置であることを特徴とする、請求項１に記載の販売時点情報管理システム。
【請求項３】
前記入力ユニットはタッチスクリーンの場合、前記タッチスクリーンに入力インターフェースが表示され、且つ、生成した前記入力信号がパスワードを含むことを特徴とする請求項２に記載の販売時点情報管理システム。
【請求項４】
前記ストレージユニットは、商品データベースを保存し、前記入力信号が前記商品情報の場合、前記認証ユニットは前記商品データベースに基づいて前記商品情報を照合し、合致した場合前記取引信号を出力して決済取引を行うことを特徴とする請求項１に記載の販売時点情報管理システム。
【請求項５】
前記ストレージユニットと前記制御ユニットに接続され、サーチ条件により前記商品データベースをサーチし、また、サーチ結果に基づいて前記解錠信号を選択的に出力するための商品サーチユニットを更に含むことを特徴とする請求項４に記載の販売時点情報管理システム。
【請求項６】
前記認証ユニットは前記解錠信号を出力した時、入退室記録を前記ストレージユニットに保存し、前記入退室記録が前記身分情報と当時の時刻とを含むことを特徴とする請求項１に記載の販売時点情報管理システム。
【請求項７】
第１の入力を身分入力信号に変換するための身分情報入力ユニットと、
第２の入力を商品入力信号に変換するための商品情報入力ユニットと、
前記身分情報入力ユニットと前記商品情報入力ユニットに接続され、前記身分入力信号を身分情報に変換し、また、前記商品入力信号を商品情報に変換する識別ユニットと、
身分データベースを保存するストレージユニットと、
前記識別ユニットと前記ストレージユニットに接続され、前記身分データベースに基づいて前記身分情報を認証し、認証に通った場合解錠信号を出力し、通らなかった場合、取引信号を出力する認証ユニットと、
前記認証ユニットに接続され、前記取引信号を受信した後、前記商品情報に基づいて決済取引を行う決済ユニットと、
ドアロックに接続される解錠ユニットと、
前記認証ユニットと前記解錠ユニットに接続され、前記解錠信号によって前記解錠ユニットを制御して前記ドアロックを解除させる制御ユニットと、を含むことを特徴とする、
入退室制御機能を有する販売時点情報管理システム。
【請求項８】
前記身分情報入力ユニットは、キーボード、タッチスクリーン、指紋認識装置、バーコードリーダー、チップカードリーダー、磁気ストライブカードリーダー、或いは、無線通信を使った識別技術読取装置であることを特徴とする請求項７に記載の販売時点情報管理システム。
【請求項９】
前記身分情報入力ユニットはタッチスクリーンの場合、前記タッチスクリーンに入力インターフェースが表示され、且つ、生成した前記身分入力信号がパスワードを含むことを特徴とする請求項８に記載の販売時点情報管理システム。
【請求項１０】
前記商品情報入力ユニットは、キーボード、タッチスクリーン、バーコードリーダー、チップカードリーダー、磁気ストライブカードリーダー、或いは、無線通信を使った識別技術読取装置であることを特徴とする請求項７に記載の販売時点情報管理システム。
【請求項１１】
前記ストレージユニットは、商品データベースを保存し、前記認証ユニットは前記商品データベースに基づいて前記商品情報を照合し、合致した場合前記取引信号を出力して決済取引を行うことを特徴とする請求項７に記載の販売時点情報管理システム。
【請求項１２】
前記ストレージユニットと前記制御ユニットに接続され、サーチ条件により前記商品データベースをサーチし、また、サーチ結果に基づいて前記解錠信号を選択的に出力するための商品サーチユニットを更に含むことを特徴とする請求項１１に記載の販売時点情報管理システム。
【請求項１３】
前記認証ユニットは前記解錠信号を出力した時、入退室記録を前記ストレージユニットに保存し、前記入退室記録が前記身分情報と当時の時刻とを含むことを特徴とする請求項７に記載の販売時点情報管理システム。
【請求項１４】
入力を受信するステップと、
前記入力を入力信号に変換するステップと、
前記入力信号を身分情報、或いは、商品情報として識別するステップと、
前記入力信号は前記身分情報の場合、身分データベースに基づいて前記身分情報を認証するステップと、
前記身分情報は認証に通った場合解錠信号を出力し、通らなかった場合、取引信号を出力するステップと、
前記取引信号を受信した後、前記商品情報に基づいて決済取引を行うステップと、
前記解錠信号によってドアロックを解除するステップと、を含むことを特徴とする、
販売時点情報管理システムを利用した入退室制御方法。
【請求項１５】
前記身分情報は認証に通った場合解錠信号を出力するステップには、前記ドアロックの解除の有無を選択するため、選択インターフェースを提供するステップと、前記ドアロックの解除を選択した場合、前記解錠信号を出力するステップと、を更に含むことを特徴とする請求項１４に記載の入退室制御方法。
【請求項１６】
前記解錠信号によってドアロックを解除するステップには、スイッチを提供するステップと、前記解錠信号により前記スイッチをイネーブルするステップと、前記スイッチの開閉状態によって前記ドアロックの解除を決定するステップと、を含むことを特徴とする請求項１４に記載の入退室制御方法。
【発明の詳細な説明】
【技術分野】
【０００１】
本発明は、販売時点情報管理システムに関し、特に、入退室制御機能を有する販売時点情報管理システム及び販売時点情報管理システムを利用した入退室制御方法に関する。
【背景技術】
【０００２】
現在、販売時点情報管理（Ｐｏｉｎｔ  ｏｆ  ｓａｌｅ、ＰＯＳ）システムは、例えばデパート或いはスーパーマーケット等の商業施設のような大規模で多種類の物品を販売及び倉庫管理を行う場所において大幅に使用されている。
【０００３】
前記商業施設内には、一般的に入退室管理システムが設けられ、局所エリア（例えば商品倉庫と出納部署等）の出入口に入退室用カードリーダーが設けることで、人員の出入りを管理している。入退室用カードを所持する者が入退室用カードリーダーの認証を経てからこの管理区域を出入りできる。
【０００４】
しかしながら、既存の販売時点情報管理システムと入退室管理システムは独立して設けられ、且つ各自独立したＰＣと端末装置を有するため、ハードウエアの管理について極めて困難になっている。販売時点情報管理システムと入退室管理システムのデータ及び設定も各々分けて管理しなければならない。
【発明の概要】
【発明が解決しようとする課題】
【０００５】
そこで、本発明は上記のような従来技術の問題点に鑑みて、従来の技術に存在する販売時点情報管理システムと入退室管理システムの独立管理という困難な問題を解決するための入退室制御機能を有する販売時点情報管理システム及び販売時点情報管理システムを利用した入退室制御方法を提供することを目的とする。
【課題を解決するための手段】
【０００６】
本発明の一実施例では入力ユニットと識別ユニットとストレージユニットと認証ユニットと決済ユニットと解錠ユニットと制御ユニットと、を含む入退室制御機能を有する販売時点情報管理システムを提供する。
【０００７】
入力ユニットは識別ユニットに接続される。認証ユニットは識別ユニットとストレージユニットに接続される。決済ユニットは認証ユニットに接続される。制御ユニットは認証ユニットと解錠ユニットに接続される。解錠ユニットはドアロックに接続される。
【０００８】
入力ユニットは、入力を入力信号に変換するために用いる。識別ユニットは、入力信号を身分情報或いは商品情報として識別する。ストレージユニットは、身分データベースを保存する。認証ユニットは、身分データベースに基づき身分情報を認証し、認証に通った場合、解錠信号を出力し、通らなかった場合、取引信号を出力する。決済ユニットは、取引信号を受信した後、商品情報に基づき決済取引を行う。制御ユニットは、解錠信号により解錠ユニットを制御してドアロックを解除する。
【０００９】
本発明の他の一実施例では、身分情報入力ユニットと商品情報入力ユニットと識別ユニットとストレージユニットと認証ユニットと決済ユニットと解錠ユニットと制御ユニットと、を含む入退室制御機能を有する販売時点情報管理システムを提供する。
【００１０】
身分情報入力ユニット及び商品情報入力ユニットは、識別ユニットに接続される。認証ユニットは、識別ユニットとストレージユニットに接続される。決済ユニットは、認証ユニットに接続される。制御ユニットは認証ユニットと解錠ユニットに接続される。解錠ユニットがドアロックに接続される。
【００１１】
身分情報入力ユニットは、第１の入力を身分入力信号に変換するために用いられる。商品情報入力ユニットは、第２の入力を商品入力信号に変換するために用いられる。識別ユニットは、身分入力信号を身分情報に変換し、また商品入力信号を商品情報に変換する。
ストレージユニットは身分データベースを保存する。認証ユニットは身分データベースに基づいて身分情報を認証し、認証に通った場合、解錠信号を出力し、通らなかった場合、取引信号を出力する。決済ユニットが取引信号を受信した後、商品情報に基づき決済取引を行う。制御ユニットは、解錠信号により解錠ユニットを制御してドアロックを解除する。
【００１２】
本発明の更なる実施例では、入力を受信することと、入力を入力信号に変換することと、入力信号を身分情報或いは商品情報として識別することと、入力信号が身分情報の場合、身分データベースに基づいて身分情報を認証することと、身分情報が認証に通った場合、解錠信号を出力し、通らなかった場合、取引信号を出力することと、取引信号を受信した後、商品情報に基づいて決済取引を行うことと、解錠信号によりドアロックを解除することと、を含む販売時点情報管理システムを利用した入退室制御方法を提供する。
【００１３】
本発明に係る入退室制御機能を有する販売時点情報管理システム及び販売時点情報管理システムを利用した入退室制御方法は、同一の販売時点情報管理システムにおいて決済取引と入退室管理の二重機能を実現でき、且つ従来の入退室管理システムと販売時点情報管理システムの二者が別々独立しているためシステム管理が困難であったという欠点を克服できる。
【図面の簡単な説明】
【００１４】
【図１】本発明の第１の実施例に係る入退室制御機能を有する販売時点情報管理システムを示すブロック図である。
【図２】本発明の第１の実施例に係る入退室制御機能を有する販売時点情報管理システムの使用様子を示す図である。
【図３】本発明の第１の実施例に係る入退室制御機能を有する販売時点情報管理システムを示す他のブロック図である。
【図４】本発明の第２の実施例に係る入退室制御機能を有する販売時点情報管理システムを示すブロック図である。
【図５】本発明の第２の実施例に係る入退室制御機能を有する販売時点情報管理システムを示す他のブロック図である。
【図６】本発明の第１の実施例及び第２の実施例に係る販売時点情報管理システムの入退室制御方法フローチャートである。
【発明を実施するための形態】
【００１５】
（第１の実施例）
図１は、本発明の第１の実施例に係る入退室制御機能を有する販売時点情報管理システム１００を示すブロック図である。
【００１６】
図１に示すように、本実施例の販売時点情報管理システム１００には、入力ユニット１１０と識別ユニット１２０とストレージユニット１３０と認証ユニット１４０と決済ユニット１５０と解錠ユニット１６０と制御ユニット１７０と、を含む。
【００１７】
識別ユニット１２０は入力ユニット１１０に接続される。認証ユニット１４０は識別ユニット１２０とストレージユニット１３０に接続される。決済ユニット１５０は認証ユニット１４０に接続される。制御ユニット１７０は認証ユニット１４０と解錠ユニット１６０に接続される。解錠ユニット１６０はドアロック１９０に接続される。
【００１８】
入力ユニット１１０が入力２１０を受信すると共に入力２１０を入力信号２２０に変換する。識別ユニット１２０が入力信号２２０を受信すると共に入力信号２２０を身分情報２３０或いは商品情報２４０として識別する。ストレージユニット１３０は身分データベース１３１を保存する。
認証ユニット１４０が、身分データベース１３１に基づき身分情報２３０を認証し、認証に通った場合、解錠信号２５０を出力し、通らなかった場合、取引信号２６０を出力する。決済ユニット１５０が取引信号２６０を受信した後、商品情報２４０に基づいて決済取引を行う。制御ユニット１７０は解錠信号２５０により解錠ユニット１６０を制御してドアロック１９０を解除する。
【００１９】
こうすると、本実施例の販売時点情報管理システム１００は、入退室用カードリーダーを商品倉庫又は出納部署等の管理区域の出入口に別途設置する必要がなく、販売時点情報管理システム１００自体が備える入力ユニット１１０を通じて入力２１０の利用者身分を識別して提供する。
販売時点情報管理システム１００は、該利用者にドアロック１９０を解除する権限があるかどうかを判断する。権限がない場合、該利用者を一般消費者と見なして、決済取引を行う。その他は、入力２１０が商品情報２４０に対応する時、やはり決済取引を行うことができる。
【００２０】
ここで、身分データベース１３１には、従業員番号或いは／及び従業員氏名等の情報を含むことができる。
【００２１】
前記入力ユニット１１０は、タッチスクリーン１１３、磁気ストライプカードリーダー１１５、キーボード１１６（図２）、指紋認識装置、バーコードリーダー、チップカードリーダー或いは無線通信を使った識別技術（ＲＦＩＤ）読取装置とすることができる。入力ユニット１１０に対応する入力２１０は、キー入力、タッチ入力、手指指紋、バーコード、チップカード、磁気カード又はＲＦＩＤカードとすることができる。
【００２２】
前記バーコードは、一次元バーコード或いは二次元バーコードとすることができる。
【００２３】
前記ストレージユニット１３０は、ハードディスク（Ｈａｒｄ  ｄｉｓｋ  ｄｒｉｖｅ、ＨＤＤ）或いはソリッドステートディスク（Ｓｏｌｉｄ  ｓｔａｔｅ  ｄｒｉｖｅ、ＳＳＤ）とすることができる。
【００２４】
前記解錠ユニット１６０には、ドアロック１９０の解除の有無を制御するため、単一チップと継電器とを含むことができる。
【００２５】
一実施例において、前記各ユニットはソフトウエア、ハードウエア素子或いは以上の組み合わせで実施、若しくは１つの素子として統合できる。例えば、識別ユニット１２０、認証ユニット１４０、決済ユニット１５０及び制御ユニット１７０をシステムオンチップ（Ｓｙｓｔｅｍ  Ｏｎ  Ｃｈｉｐ、ＳＯＣ）として結合して実現できる。
【００２６】
一実施例において、ストレージユニット１３０には、販売時点情報管理システムプログラムを保存し、前記システムオンチップで実行する。販売時点情報管理システムプログラムには、商品ユーザインターフェースと入退室ユーザインターフェースとを含み、並びにタッチスクリーン１１３或いは他のスクリーンに表示される。
商品ユーザインターフェースは、在庫管理、在庫検索、決済取引等の操作のために用いられる。入退室ユーザインターフェースは、ドアの開閉と管理に用いられる。
【００２７】
識別ユニット１２０が入力信号２２０を商品情報２４０として識別する時、システムオンチップが商品ユーザインターフェースを実行して決済取引を行うことができる。識別ユニット１２０が入力信号２２０を身分情報２３０と識別した時、システムオンチップが入退室ユーザインターフェースを実行し、認証ユニット１４０で身分情報２３０を認証してから、入退室ユーザインターフェースに認証の成功、認証に失敗、ドアの開閉或いは／及び開いた時間等といった認証結果が表示される。
【００２８】
図２は、本発明の第１の実施例に係る入退室制御機能を有する販売時点情報管理システム１００の使用の様子を示す図である。
【００２９】
図２に示すように、入力ユニット１１０がタッチスクリーン１１３の場合、タッチスクリーン１１３に入退室ユーザインターフェース内の入力インターフェース１１４が表示される。さらに、入力ユニット１１０で生成した入力信号２２０にはパスワードを含むことができる。
つまり、レジの場所で従業員はタッチスクリーン１１３を通じて予め設定されたパスワードを入力し、認証ユニット１４０の認証により間違いのないことが確認された後、制御ユニット１７０が解錠ユニット１６０によりドアロック１９０を解除させる。
【００３０】
また、入力ユニット１１０がバーコードリーダーの場合、バーコードリーダーで読み取ったバーコードは、商品にあるバーコード或いは従業員カードにあるバーコードとすることができる。識別ユニット１２０でバーコードリーダーから生成した入力信号２２０が商品の番号と識別した時、入力信号２２０を商品情報２４０として区分する。識別ユニット１２０でバーコードリーダーから生成した入力信号２２０が従業員カード番号と識別した時、入力信号２２０を身分情報２３０として区分する。
次に、決済ユニット１５０或いは制御ユニット１７０が作動する。つまり、バーコードリーダーで商品のバーコードをスキャンした時、決済ユニット１５０が決済取引を行う。バーコードリーダーで従業員カードのバーコードをスキャンした時、認証ユニット１４０で従業員カードのバーコードに示す従業員カード番号が権限のあることを確認した時、解錠ユニット１６０によりドアロック１９０を解除させる。
【００３１】
磁気ストライブカードリーダー１１５を再度例にすると、入力ユニット１１０が磁気ストライブカードリーダー１１５の場合、磁気ストライブカードリーダー１１５で磁気カードにある情報を読み取ることで入力信号２２０を生成する。識別ユニット１２０は販売時点情報管理システム１００の現在実行しているプロセスにより入力信号２２０を従業員カード番号又は消費者のクレジットカード番号として認定する。
つまり、販売時点情報管理システム１００が決済取引（タッチスクリーン１１３に入退室ユーザインターフェースが表示）を行っている場合、入力信号２２０を消費者のクレジットカード番号として認定できる。決済取引を行わない場合、入力信号２２０を従業員カード番号として認定できる。入力信号２２０が従業員カード番号の場合、解錠ユニット１６０によりドアロック１９０を解除させるかどうかを決定するため、認証ユニット１４０で該従業員カード番号にドアを開く権限があるかどうかを更に確認する。
【００３２】
一実施例において、図１に示すように、ストレージユニット１３０には商品データベース１３３も保存される。入力信号２２０が商品情報２４０の場合、認証ユニット１４０が商品データベース１３３に基づき商品情報２４０を照合し、合致した時取引信号２６０を出力して、決済ユニット１５０に決済取引を行わせる。
【００３３】
そこで、商品データベース１３３には、品名、品番或いは／及び在庫量等の情報を含むことができる。
【００３４】
一実施例において、図１に示すように、認証ユニット１４０が解錠信号２５０を出力した時、入退室記録１３５をストレージユニット１３０に保存する。管理者の閲覧に供するため、入退室記録１３５には身分情報２３０と当時の時刻とを含む。
【００３５】
図３は、本発明の第１の実施例に係る退室制御機能を有する販売時点情報管理システム１００を示す他のブロック図である。
【００３６】
図３に示すように、図１と大まかに同じで、販売時点情報管理システム１００には商品サーチユニット１８０を更に含む。商品サーチユニット１８０がストレージユニット１３０と制御ユニット１７０に接続され、サーチ条件により商品データベース１３３をサーチし、またサーチ結果に基づき解錠信号２５０を選択的に出力する。
つまり、販売時点情報管理システム１００は、従業員が特定の商品に在庫があるかどうかを探し出させるために供することができ、また商品サーチユニット１８０を介して商品データベース１３３をサーチし、サーチ結果で在庫があった場合、解錠信号２５０’を出力することで解錠ユニット１６０により商品倉庫のドアロック１９０を解除させる。これを介して従業員は商品の在庫を検査した後、簡単に商品倉庫へ該商品を取り出すことができる。
【００３７】
他の実施例において、制御ユニット１７０が解錠信号２５０或いは２５０’を受信した後、ディスプレイ又はタッチスクリーン１１３に確認メッセージを出力し、従業員がＯＫキー或いは選択キーをクリックした後、解錠ユニット１６０によりドアロック１９０を解除させることができる。
【００３８】
例を挙げると、業者は、各従業員のスマートカード（Ｓｍａｒｔ  ｃａｒｄ）を従業員カードとすることができる。つまり、スマートカードは従業員が店内で消費させることができる以外に、従業員カードとして使用できる。よって、従業員がスマートカードを入力ユニット１１０に読み取らせる時、認証ユニット１４０は該スマートカードが権限のある従業員カードとして認証する。
従業員がそのスマートカードを消費決済として使用する場合、従業員が確認してから解錠ユニット１６０によりドアロック１９０を解除させることができ、ドアロック１９０が誤って解除される状況を避けることができる。
【００３９】
図３を再度参照しながら説明する。一実施例において制御ユニット１７０と解錠ユニット１６０は無線通信を経由して接続できるが、本発明の実施例はこれに限らず、制御ユニット１７０と解錠ユニット１６０も有線通信を経由して接続できる。
【００４０】
（第２の実施例）
図４は、本発明の第２の実施例に係る入退室制御機能を有する販売時点情報管理システム１００を示すブロック図である。
【００４１】
図４に示すように、本実施例の販売時点情報管理システム１００と第１の実施例は大まかに同じで、第１の実施例に比べると、本実施例の販売時点情報管理システム１００は身分入力を受け入れる身分情報入力ユニット１１１及び商品入力を受け入れる商品情報入力ユニット１１２が入力ユニット１１０に代替できる。
【００４２】
本実施例の販売時点情報管理システム１００には、身分情報入力ユニット１１１と商品情報入力ユニット１１２と識別ユニット１２０とストレージユニット１３０と認証ユニット１４０と決済ユニット１５０と解錠ユニット１６０と制御ユニット１７０と、を含む。
【００４３】
身分情報入力ユニット１１１は、第１の入力２１１を身分入力信号２２１に変換するために用いられる。商品情報入力ユニット１１２は、第２の入力２１２を商品入力信号２２２に変換するために用いられる。
【００４４】
識別ユニット１２０が、身分情報入力ユニット１１１と商品情報入力ユニット１１２に接続されて身分入力信号２２１を身分情報２３０に変換し、また商品入力信号２２２を商品情報２４０に変換する。
【００４５】
つまり、本実施例の識別ユニット１２０は、直接受信した信号源（即ち身分情報入力ユニット１１１又は商品情報入力ユニット１１２）を身分入力信号２２１或いは商品入力信号２２２に区別する根拠とし、受信した信号内容によって判断する必要がなくなる。
【００４６】
そこで、身分情報入力ユニット１１１は、タッチスクリーン１１３、磁気ストライブカードリーダー１１５、キーボード１１６、指紋認識装置、バーコードリーダー、チップカードリーダー又は無線通信を使った識別技術読取装置とすることができる。商品情報入力ユニット１１２もタッチスクリーン１１３、磁気ストライブカードリーダー１１５、キーボード１１６、バーコードリーダー、チップカードリーダー或いは無線通信を使った識別技術読取装置とすることができる。
【００４７】
一実施例において、身分情報入力ユニット１１１と商品情報入力ユニット１１２は２種類の異なる入力タイプの入力ユニットとすることができる。例えば、身分情報入力ユニット１１１は無線通信を使った識別技術読取装置、指紋認識装置、チップカードリーダー或いは磁気ストライブカードリーダー１１５とすることができる。商品情報入力ユニット１１２はバーコードリーダーとすることができる。
【００４８】
図４に示すように、ストレージユニット１３０、認証ユニット１４０、決済ユニット１５０、解錠ユニット１６０及び制御ユニット１７０の接続関係及びその運用は先に述べているため、ここで詳細な説明を省略する。
【００４９】
図５は、本発明の第２の実施例に係る入退室制御機能を有する販売時点情報管理システム１００を示す他のブロック図である。
【００５０】
図５に示すように、本実施例の販売時点情報管理システム１００には商品サーチユニット１８０も含むことができ、その運用は先に述べているため、ここで詳細な説明を省略する。
【００５１】
図６は、本発明の第１の実施例及び第２の実施例に係る販売時点情報管理システム１００を利用した入退室制御方法フローチャートである。
【００５２】
図６に示すように、まず、入力（ステップＳ６１０）を受信する。そこで、前記入力は第１の実施例において入力２１０で、第２の実施例において第１の入力２１１及び第２の入力２１２となる。
【００５３】
次に、入力を入力信号（ステップＳ６２０）に変換する。そこで、前記入力信号は第１の実施例において入力信号２２０で、第２の実施例において身分入力信号２２１及び商品入力信号２２２となる。
【００５４】
ステップＳ６２０の後に、ステップＳ６３０に進み、入力信号を識別し、入力信号を身分情報２２３或いは商品情報２２４（ステップＳ６４０）として識別する。入力信号が身分情報２２３の場合、身分データベース１３１に基づいて身分情報２２３（ステップＳ６５０）を認証する。
【００５５】
次に、身分情報２２３が認証（ステップＳ６６０）に通るかどうかを判断し、通った場合、解錠信号２５０（ステップＳ６７１）を出力し、通らなかった場合、取引信号２６０（ステップＳ６７２）を出力する。
【００５６】
ステップＳ６７１の後に、解錠信号２５０によりドアロック１９０（ステップＳ６８０）を解除する。ステップＳ６７２の後に、商品情報２２４によって決済取引（ステップＳ６９０）を行う。
【００５７】
ステップＳ６４０において、入力信号を商品情報と識別した時、ステップＳ６７２に進み、また商品情報２２４によって決済取引（ステップＳ６９０）を行う。
【００５８】
こうすると、入力により身分情報２２３或いは商品情報２２４に変換し、同一の販売時点情報管理システム１００内で決済取引と入退室管理の二重機能を実現できる。
【００５９】
一実施例において、ステップＳ６７１の中にドアロック１９０の解除の有無を選択するため、選択インターフェースを提供することと、ドアロック１９０の解除を選択した場合、解錠信号２５０を出力するステップを更に含む。ダブルチェックによりドアロック１９０を解除することで、ドアロック１９０が誤って解除される状況を避けることができる。
【００６０】
一実施例において、ステップＳ６８０の中にスイッチを提供し、解錠信号２５０により該スイッチをイネーブルすることと、該スイッチの開閉状態によってドアロック１９０の解除を決定するステップを更に含む。
つまり、一般的な状況において、スイッチはディセーブル状態となり、この時解錠信号２５０を受信していない場合、スイッチをオンしたとしてもドアロック１９０を解除させることができない。解錠信号２５０を受信した時、スイッチがイネーブル状態に変わり、スイッチをオンにすると、ドアロック１９０を解除でき、逆の場合ドアロック１９０を解除できない。
【００６１】
ここで、前記スイッチは、独立した押しボタン、キーボード１１６のキー或いはタッチスクリーン１１３にある選択キーとすることができる。
【００６２】
一実施例において、販売時点情報管理システム１００を利用した入退室制御方法には、サーチ条件によって商品データベース１３３をサーチすることと、サーチ結果に基づいて解錠信号２５０’を選択的に出力するステップ（例：ステップＳ６６０及びステップＳ６７１の間）を更に含む。これを介して在庫のある商品をサーチできた時、従業員の作業の利便性のため、自動的に該商品を保管しているエリアのドアを開けることができる。
【００６３】
上述をまとめると、本発明に係る入退室制御機能を有する販売時点情報管理システム１００及び販売時点情報管理システム１００を利用した入退室制御方法は、同一の販売時点情報管理システム１００において決済取引と入退室管理という二重機能を実現でき、且つ販売時点情報管理システム１００の操作に従い、従来の、入退室管理システムと販売時点情報管理システムの二者が互いに独立していることによるシステム管理上の困難を克服できる。
【符号の説明】
【００６４】
１００  販売時点情報管理システム
１１０  入力ユニット
１１１  身分情報入力ユニット
１１２  商品情報入力ユニット
１１３  タッチスクリーン
１１４  入力インターフェース
１１５  磁気ストライブカードリーダー
１１６  キーボード
１２０  識別ユニット
１３０  ストレージユニット
１３１  身分データベース
１３３  商品データベース
１３５  入退室記録
１４０  認証ユニット
１５０  決済ユニット
１６０  解錠ユニット
１７０  制御ユニット
１８０  商品サーチユニット
１９０  ドアロック
２１０  入力
２１１  第１の入力
２１２  第２の入力
２２０  入力信号
２２１  身分入力信号
２２２  商品入力信号
２３０  身分情報
２４０  商品情報
２５０、２５０’  解錠信号
２６０  取引信号
【図１】
0005465306.tif 000002
【図２】
0005465306.tif 000003
【図３】
0005465306.tif 000004
【図４】
0005465306.tif 000005
【図５】
0005465306.tif 000006
【図６】
0005465306.tif 000007